(57)【要約】  設計対象の設計作業を適切に支援する設計支援装置に関する。設計支援装置は、プラント仕様格納部１０２と、プラント図書格納部１０４と、類似仕様検索部１０３と、第１差分計算部１０７と、第２差分計算部１０８と、関連度計算部１０９と、関連仕様抽出部１１０と、類似図書抽出部１０５と、関連図書抽出部１１１と、図書間差分抽出部１１２と、プラント図書表示部１０６とを備える。関連仕様抽出部１１０は、第１差分との間でもっとも関連度の高い第２差分の過去仕様を関連仕様として抽出する。図書間差分抽出部１１２は、類似図書と関連図書との差分を計算し、差分箇所を抽出する。プラント図書表示部は、表示された類似図書において、差分箇所を表示する。
2016132774.tif 000002
【特許請求の範囲】
【請求項１】
設計対象の複数の仕様を過去仕様として記憶するプラント仕様格納部（１０２）と、
各前記過去仕様に対応づけられる前記設計対象の図書を過去図書として記憶するプラント図書格納部（１０４）と、
前記プラント仕様格納部（１０２）に記憶された前記過去仕様のうちから、前記設計対象の新たに入力された仕様である入力仕様と類似する仕様である類似仕様を検索する類似仕様検索部（１０３）と、
前記入力仕様と前記類似仕様との差分を計算し、当該計算結果を第１差分として算出する第１差分計算部（１０７）と、
前記類似仕様と、前記プラント仕様格納部（１０２）に記憶された各前記過去仕様との差分をそれぞれ計算し、当該計算結果を第２差分としてそれぞれ算出する第２差分計算部（１０８）と、
前記第１差分と前記第２差分との間の関連度を計算する関連度計算部（１０９）と、
前記第１差分との間で前記関連度のもっとも高い前記第２差分の、対応する前記過去仕様を関連仕様として抽出する関連仕様抽出部（１１０）と、
前記類似仕様である前記過去仕様に対応づけられる前記過去図書を、類似図書として前記プラント図書格納部（１０４）から抽出する類似図書抽出部（１０５）と、
前記関連仕様である前記過去仕様に対応づけられる前記過去図書を、関連図書として前記プラント図書格納部（１０４）から抽出する関連図書抽出部（１１１）と、
前記類似図書と前記関連図書との差分を計算し、当該計算結果に基づいて差分箇所を抽出する図書間差分抽出部（１１２）と、
前記類似図書を表示するプラント図書表示部（１０６）とを備え、
前記プラント図書表示部（１０６）が、表示された前記類似図書において、さらに前記差分箇所を表示する、
設計支援装置。
【請求項２】
前記関連度計算部（１０９）が、前記第１差分と前記第２差分との間の前記関連度を、差分の有無が一致するか否かに基づいて計算する、
請求項１記載の設計支援装置。
【請求項３】
前記プラント図書表示部（１０６）が、表示された前記類似図書において、前記差分箇所を囲む表示をする、
請求項１または請求項２に記載の設計支援装置。
【請求項４】
前記プラント図書表示部（１０６）が、表示された前記類似図書において、前記差分箇所に附随する表示をする、
請求項１または請求項２に記載の設計支援装置。
【請求項５】
前記設計対象の前記仕様および前記設計対象の前記図書のうちの少なくとも一方が、文章または表形式で表現される、
請求項１または請求項２に記載の設計支援装置。
【発明の詳細な説明】
【技術分野】
【０００１】
本技術は、水処理プラントまたは発電プラントなどの設計を支援する設計支援装置に関するものである。
【背景技術】
【０００２】
水処理プラントまたは発電プラントなどの設計においては、通常、過去に手掛けた類似案件の図面、文書またはプログラムなどを参照し、それらを起点として設計が行われる。ここで、設計作業に際して生じる、図面、文書またはプログラムなどを、以降総称して「図書」と呼ぶ。【０００３】
たとえば、特許文献１においては、上記のように類似案件の図書を探して、水処理プラントまたは発電プラントなどの設計の起点とするという手法を用いる装置が開示されている。【０００４】
特許文献１において記載された類似設計事例検索装置は、要求仕様入力手段と、類似事例検索手段と、設計事例ベース記憶手段と、検索結果出力手段とを備えている。そして、類似設計事例検索装置では、要求仕様入力手段から入力された要求仕様にしたがい、類似事例検索手段が要求仕様に類似する設計事例を検索する。そして、設計事例ベース記憶手段から設計事例を抽出し、検索結果出力手段がそれらを結果として出力する。
【先行技術文献】
【特許文献】
【０００５】
【特許文献１】特開平８−２２１４３７号公報
【発明の概要】
【発明が解決しようとする課題】
【０００６】
上記の特許文献１に開示された類似設計事例検索装置は、入力された要求仕様に類似する設計事例を検索し、その設計事例を抽出して出力する。設計者は、出力された類似の設計事例を起点にして、設計作業を進めることができる。これにより、新規に、水処理プラントまたは発電プラントなどの設計を進める場合と比較して、よりスムーズに設計作業を行うことが可能となる。【０００７】
しかし、特許文献１に記載された装置では、出力された設計事例に基づいてどのように要求仕様の設計を行うかについて、支援が十分ではなかった。【０００８】
本技術は、上記のような問題を解決するためのものであり、設計対象の設計作業を適切に支援する設計支援装置に関するものである。
【課題を解決するための手段】
【０００９】
本技術の一態様に関する設計支援装置は、設計対象の複数の仕様を過去仕様として記憶するプラント仕様格納部と、各前記過去仕様に対応づけられる前記設計対象の図書を過去図書として記憶するプラント図書格納部と、前記プラント仕様格納部に記憶された前記過去仕様のうちから、前記設計対象の新たに入力された仕様である入力仕様と類似する仕様である類似仕様を検索する類似仕様検索部と、前記入力仕様と前記類似仕様との差分を計算し、当該計算結果を第１差分として算出する第１差分計算部と、前記類似仕様と、前記プラント仕様格納部に記憶された各前記過去仕様との差分をそれぞれ計算し、当該計算結果を第２差分としてそれぞれ算出する第２差分計算部と、前記第１差分と前記第２差分との間の関連度を計算する関連度計算部と、前記第１差分との間でもっとも前記関連度の高い前記第２差分の、対応する前記過去仕様を関連仕様として抽出する関連仕様抽出部と、前記類似仕様である前記過去仕様に対応づけられる前記過去図書を、類似図書として前記プラント図書格納部から抽出する類似図書抽出部と、前記関連仕様である前記過去仕様に対応づけられる前記過去図書を、関連図書として前記プラント図書格納部から抽出する関連図書抽出部と、前記類似図書と前記関連図書との差分を計算し、当該計算結果に基づいて差分箇所を抽出する図書間差分抽出部と、前記類似図書を表示するプラント図書表示部とを備え、前記プラント図書表示部が、表示された前記類似図書において、さらに前記差分箇所を表示する。
【発明の効果】
【００１０】
本技術の一態様に関する設計支援装置は、プラント仕様格納部と、プラント図書格納部と、類似仕様検索部と、第１差分計算部と、第２差分計算部と、関連度計算部と、関連仕様抽出部と、類似図書抽出部と、関連図書抽出部と、図書間差分抽出部と、プラント図書表示部とを備える。【００１１】
プラント仕様格納部は、設計対象の複数の仕様を過去仕様として記憶する。プラント図書格納部は、各前記過去仕様に対応づけられる前記設計対象の図書を過去図書として記憶する。類似仕様検索部は、前記プラント仕様格納部に記憶された前記過去仕様のうちから、前記設計対象の新たに入力された仕様である入力仕様と類似する仕様である類似仕様を検索する。第１差分計算部は、前記入力仕様と前記類似仕様との差分を計算し、当該計算結果を第１差分として算出する。第２差分計算部は、前記類似仕様と、前記プラント仕様格納部に記憶された各前記過去仕様との差分をそれぞれ計算し、当該計算結果を第２差分としてそれぞれ算出する。関連度計算部は、前記第１差分と前記第２差分との間の関連度を計算する。関連仕様抽出部は、前記第１差分との間でもっとも前記関連度の高い前記第２差分の、対応する前記過去仕様を関連仕様として抽出する。類似図書抽出部は、前記類似仕様である前記過去仕様に対応づけられる前記過去図書を、類似図書として前記プラント図書格納部から抽出する。関連図書抽出部は、前記関連仕様である前記過去仕様に対応づけられる前記過去図書を、関連図書として前記プラント図書格納部から抽出する。図書間差分抽出部は、前記類似図書と前記関連図書との差分を計算し、当該計算結果に基づいて差分箇所を抽出する。プラント図書表示部は、前記類似図書を表示する。前記プラント図書表示部は、表示された前記類似図書において、さらに前記差分箇所を表示する。【００１２】
このような構成によれば、蓄積された設計対象の仕様およびそれに対応する設計対象の図書の差分を用いることで、類似図書中において、入力仕様に対応して変更すべき箇所である差分箇所を示すことができる。よって、設計対象の設計作業を適切に支援することができる。【００１３】
本技術の目的、特徴、局面および利点は、以下の詳細な説明と添付図面とによって、より明白となる。
【図面の簡単な説明】
【００１４】
【図１】実施形態に関する設計支援装置の構成を概念的に示す図である。
【図２】実施形態に関する設計支援装置を実際に運用する場合のハードウェアの構成を示す図である。
【図３】実施形態に関する設計支援装置の動作の概要を示すフローチャートである。
【図４】実施形態に関する、プラント仕様格納部が格納する過去仕様に関する情報の画面表示例を示す図である。
【図５】実施形態に関する、プラント図書格納部が格納する過去図書の画面表示例を示す図である。
【図６】実施形態に関する、プラント仕様入力部により与えられる入力仕様に関する情報の画面表示例を示す図である。
【図７】入力仕様と、類似仕様との差分を計算した結果の画面表示例を示す図である。
【図８】類似仕様と、すべての過去仕様との差分を計算した結果の画面表示例を示す図である。
【図９】「自治体向け差分」の関連度および「標準高水位差分」の関連度の画面表示例を示す図である。
【図１０】類似図書と、関連図書との差分を計算した結果の画面表示例を示す図である。
【図１１】「差分が生じている部分」を類似図書の表示の上に明示した状態の画面表示例を示す図である。
【図１２】実施形態に関する、プラント仕様格納部が格納する過去仕様に関する情報の画面表示例を示す図である。
【図１３】実施形態に関する、プラント図書格納部が格納する過去図書の画面表示例を示す図である。
【図１４】実施形態に関する、プラント仕様入力部により与えられる入力仕様に関する情報の画面表示例を示す図である。
【図１５】入力仕様と、類似仕様との差分を計算した結果の画面表示例を示す図である。
【図１６】類似仕様と、すべての過去仕様との差分を計算した結果の画面表示例を示す図である。
【図１７】「自治体向け差分」の関連度および「標準高水位差分」の関連度の画面表示例を示す図である。
【図１８】類似図書と、関連図書との差分を計算した結果の画面表示例を示す図である。
【図１９】「差分が生じている部分」を類似図書の表示の上に明示した状態の画面表示例を示す図である。
【発明を実施するための形態】
【００１５】
以下、添付の図面を参照しながら実施形態について説明する。なお、図面は模式的に示されるものであり、異なる図面にそれぞれ示されている画像のサイズおよび位置の相互関係は、必ずしも正確に記載されるものではなく、適宜変更され得るものである。また、以下の説明では、同様の構成要素には同じ符号を付して図示し、それらの名称および機能についても同様のものとする。よって、それらについての詳細な説明を省略する場合がある。
【００１６】
＜第１実施形態＞
＜構成＞
図１は、本実施形態に関する設計支援装置の構成を概念的に示す図である。なお、以下の実施形態では、設計の対象をプラントに特定しているが、図書を用いた制御を要する他の対象に対して適用されてもよい。
【００１７】
図１に示されるように、設計支援装置は、プラント仕様入力部１０１と、プラント仕様格納部１０２と、類似仕様検索部１０３と、プラント図書格納部１０４と、類似図書抽出部１０５と、プラント図書表示部１０６と、第１差分計算部１０７と、第２差分計算部１０８と、関連度計算部１０９と、関連仕様抽出部１１０と、関連図書抽出部１１１と、図書間差分抽出部１１２とを備える。
【００１８】
プラント仕様入力部１０１は、設計さらには開発するべき設計対象としてのプラントの仕様（以下、入力仕様と称する場合がある）に関する情報を入力する。プラント仕様入力部１０１は、プラント仕様格納部１０２は、過去に設計され蓄積された複数のプラントの仕様（以下、過去仕様と称する場合がある）に関する情報を格納する。
【００１９】
類似仕様検索部１０３は、蓄積された過去仕様の中から入力仕様に類似する仕様（以下、類似仕様と称する場合がある）を検索する。類似仕様としては、入力仕様の内容にもっとも近い、すなわち、入力仕様との差分がもっとも小さい過去仕様が該当する。なお、類似仕様検索部１０３に対し外部から入力仕様が入力されればよく、必ずしもプラント仕様入力部１０１が本実施形態に関する設計支援装置に備えられていなくともよい。プラント図書格納部１０４は、過去に設計され蓄積されたプラントの図書（以下、過去図書と称する場合がある）を格納する。
【００２０】
ここで、「類似」とは、「互いの間に共通する点が多く、相違点が少ない」ことを示す用語である。
【００２１】
また、「差分」とは、「２つの図書間等における相違点または相違の程度」を指す用語である。
【００２２】
さらに、設計作業に際して生じる、図面、文書またはプログラムなどを、以降総称して「図書」と呼ぶ。
【００２３】
類似図書抽出部１０５は、類似仕様に対応する過去図書（以下、類似図書と称する場合がある）を抽出する。プラント図書表示部１０６は、類似図書およびその中で変更すべき点を表示する。
【００２４】
第１差分計算部１０７は、入力仕様と類似仕様との差分を計算する。第２差分計算部１０８は、過去仕様と類似仕様との差分を計算する。
【００２５】
関連度計算部１０９は、差分間の関連の強さを計算する。関連仕様抽出部１１０は、関連の強い差分を与える過去仕様（以下、関連仕様と称する場合がある）を抽出する。
【００２６】
関連図書抽出部１１１は、抽出された関連仕様に対応する図書（以下、関連図書と称する場合がある）を抽出する。図書間差分抽出部１１２は、関連図書と類似図書の差分を抽出する。
【００２７】
図２は、図１に示される設計支援装置を実際に運用する場合のハードウェアの構成を示す図である。図２では、図１中の設計支援装置を実現するハードウェア構成として、パーソナルコンピュータ（ＰＣ）１を備える。ただし、設計支援装置を実現するハードウェア構成としては、パーソナルコンピュータに限らず、たとえば、計算機一般であってもよい。
【００２８】
パーソナルコンピュータ１には、演算を行う中央演算処理装置（ｃｅｎｔｒａｌ  ｐｒｏｃｅｓｓｉｎｇ  ｕｎｉｔ、すなわちＣＰＵ）２と、情報を記憶することができる記憶装置３と、キーボードなどの、情報を入力することができる入力装置４と、ディスプレイなどの、信号の出力を行うことができる出力装置５とが含まれる。この構成は、後述する他の実施形態においても同様である。
【００２９】
プラント仕様格納部１０２と、プラント図書格納部１０４とは、パーソナルコンピュータ１における記憶装置３によって実現される。記憶装置３は、たとえば、ハードディスク（Ｈａｒｄ  ｄｉｓｋ  ｄｒｉｖｅ、すなわちＨＤＤ）、ランダムアクセスメモリー（ｒａｎｄｏｍ  ａｃｃｅｓｓ  ｍｅｍｏｒｙ、すなわちＲＡＭ）およびリードオンリーメモリー（ｒｅａｄ  ｏｎｌｙ  ｍｅｍｏｒｙ、すなわちＲＯＭ）などを含むメモリー（記憶媒体）などによって構成される。
【００３０】
また、類似仕様検索部１０３と、類似図書抽出部１０５と、第１差分計算部１０７と、第２差分計算部１０８と、関連度計算部１０９と、関連仕様抽出部１１０と、関連図書抽出部１１１と、図書間差分抽出部１１２とは、記憶装置３に格納されたプログラムが中央演算処理装置２上で実行されることにより実現される。なお、これらの機能は、たとえば、複数の中央演算処理装置（ＣＰＵ）が連携することによって実現されてもよい。
【００３１】
また、プラント仕様入力部１０１は、入力装置４によって実現される。
【００３２】
また、プラント図書表示部１０６は、出力装置５によって実現される。
【００３３】
＜作用＞
以下、本実施形態に関する設計支援装置の作用について、簡単なプラントの例を用いて説明する。
【００３４】
ここでは、外部から流入する水を貯める池と、当該池の水位を測定する測定センサーと、当該池に貯まった水を外部に放出するための排水ポンプと、警報とから構成されるプラントを例として用いる。プラントの動作としては、測定センサーが測定した池の水位があらかじめ決められた値以上となると排水ポンプが起動し、また、測定センサーが測定した池の水位が別のあらかじめ決められた値以上となると警報が作動するものとする。
【００３５】
はじめに、本実施形態に関する設計支援装置の動作の概要について、図３を参照しつつ説明する。なお、図３は、本実施形態に関する設計支援装置の動作の概略を示すフローチャートである。
【００３６】
まず、プラント仕様入力部１０１により入力仕様が入力される（ステップＳＴ１を参照）。次に、類似仕様検索部１０３が、過去仕様から、入力仕様にもっとも近いものを検索する（ステップＳＴ２を参照）。
【００３７】
次に、第１差分計算部１０７が、入力仕様と、類似仕様との差分を計算する（ステップＳＴ３を参照）。次に、第２差分計算部１０８が、類似仕様と、すべての過去仕様との差分をそれぞれ計算する（ステップＳＴ４を参照）。
【００３８】
次に、関連度計算部１０９が、第１差分計算部１０７が与える差分と、第２差分計算部１０８が与える差分との間の関連度の強さを計算する（ステップＳＴ５を参照）。次に、関連仕様抽出部１１０が、関連度に基づいて関連仕様を抽出する（ステップＳＴ６を参照）。
【００３９】
ここで、また、「関連度」とは「共通点が多く、相違点の少ない度合い」を指す用語であり、相違点が少なく共通点が多いことを「関連が強い」または「関連度が大きい」などと表現する。
【００４０】
次に、類似図書抽出部１０５が、類似図書を抽出する（ステップＳＴ７を参照）。次に、関連図書抽出部１１１が、関連図書を抽出する（ステップＳＴ８を参照）。
【００４１】
次に、図書間差分抽出部１１２が、類似図書と、関連図書との差分を抽出する（ステップＳＴ９を参照）。次に、プラント図書表示部１０６が、類似図書を表示する（ステップＳＴ１０を参照）。
【００４２】
次に、プラント図書表示部１０６が、「差分が生じている部分」を類似図書の表示の上に明示する（ステップＳＴ１１を参照）。
【００４３】
図４は、本実施形態に関するプラント仕様格納部１０２が格納する過去仕様に関する情報の画面表示例を示す図である。ここでは、プラントの仕様が、当該仕様がどの自治体向けであるかという情報と、標準高水位という数値の情報とから構成されているものとする。また、プラント仕様格納部１０２には、日本語で書かれた４つの仕様（仕様１、仕様２、仕様３および仕様４）に関する情報が格納されているものとする。なお、図４に示される過去仕様に関する情報が出力される画面は、プラント図書表示部１０６に備えられるものであってもよいし、図１に示されない他の表示部に備えられる画面などであってもよい。
【００４４】
図４において、どの自治体向けであるかという情報に関しては、仕様１および仕様２はＡ自治体向けであり、仕様３および仕様４はＢ自治体向けである。また、図４において、標準高水位という数値の情報に関しては、仕様１は標準高水位が９０であり、仕様２は標準高水位が６０であり、仕様３は標準高水位が５０であり、仕様４は標準高水位が６０である。
【００４５】
図５は、本実施形態に関するプラント図書格納部１０４が格納する過去図書の画面表示例を示す図である。ここでは、プラントの図書が、測定センサーが測定した池の水位（図書中では水位と表現）と、警報作動および排水ポンプ起動という動作との関係に関する情報とから構成されているものとする。また、プラント図書格納部１０４には、日本語で書かれた４つの図書（図書１、図書２、図書３および図書４）が格納されているものとする。なお、図５に示される過去図書に関する情報が出力される画面は、プラント図書表示部１０６に備えられるものであってもよいし、図１に示されない他の表示部に備えられる画面などであってもよい。
【００４６】
図５において、池の水位と、警報作動および排水ポンプ起動という動作との関係に関する情報に関しては、図書１は、「もし水位が８０以上なら警報作動」および「もし水位が８０以上なら排水ポンプ起動」であり、図書２は、「もし水位が８０以上なら警報作動」および「もし水位が６０以上なら排水ポンプ起動」であり、図書３は、「もし水位が９０以上なら警報作動」および「もし水位が５０以上なら排水ポンプ起動」であり、図書４は、「もし水位が９０以上なら警報作動」および「もし水位が６０以上なら排水ポンプ起動」である。
【００４７】
また、図４に示された仕様１、仕様２、仕様３および仕様４と、図５に示された図書１、図書２、図書３および図書４は、それぞれ対応づけられているものとする。すなわち、過去に、仕様１にしたがって図書１が作成され、仕様２にしたがって図書２が作成され、仕様３にしたがって図書３が作成され、仕様４にしたがって図書４が作成されたものとする。
【００４８】
図６は、本実施形態に関するプラント仕様入力部１０１により与えられる入力仕様に関する情報の画面表示例を示す図である（図３におけるステップＳＴ１を参照）。当該入力仕様に関する情報は、図４に示された過去仕様における場合と同様に、当該仕様がどの自治体向けであるかという情報と、標準高水位という数値の情報とから構成されているものとする。なお、図６に示される入力仕様に関する情報が出力される画面は、プラント図書表示部１０６に備えられるものであってもよいし、図１に示されない他の表示部に備えられる画面などであってもよい。
【００４９】
図６において、どの自治体向けであるかという情報に関しては、入力仕様はＢ自治体向けである。また、図６において、標準高水位という数値の情報に関しては、入力仕様は標準高水位が４０である。
【００５０】
類似仕様検索部１０３は、プラント仕様格納部１０２が格納する過去仕様から、プラント仕様入力部１０１が与える入力仕様にもっとも近いものを検索する（図３におけるステップＳＴ２を参照）。ここでは、過去仕様に関する情報の、どの自治体向けであるかという情報と、標準高水位という数値情報とを用いて、図６に示された入力仕様にもっとも近い過去仕様として、図４に示された過去仕様のうちの仕様３を類似仕様として得る。
【００５１】
類似図書抽出部１０５は、類似仕様検索部１０３で得られた類似仕様に対応する仕様であるプラントの図書を、プラント図書格納部１０４が格納する過去図書から抽出する。ここでは、図４に示された仕様３に対応する図書として、図５に示された過去図書のうちの図書３を類似図書として抽出する（図３におけるステップＳＴ７を参照）。
【００５２】
プラント図書表示部１０６は、類似図書抽出部１０５で抽出された類似図書を表示する。ここでは、類似図書として抽出された、図５に示された図書３を表示する。
【００５３】
第１差分計算部１０７は、プラント仕様入力部１０１が与える入力仕様と、類似仕様検索部１０３が与える類似仕様との差分を計算する（図３におけるステップＳＴ３を参照）。ここでは、図６に示された入力仕様と、類似仕様としての図２に示された仕様３との差分を計算し、図７に示される結果を得る。なお、図７に示される入力仕様と類似仕様との差分が出力される画面は、プラント図書表示部１０６に備えられるものであってもよいし、図１に示されない他の表示部に備えられる画面などであってもよい。具体的には、どの自治体向けであるかという情報は同一であり差がないので、「自治体向け差分」は「なし」とする。また、標準高水位という数値情報は、入力仕様においては「４０」であり、図４に示された仕様３においては「５０」であるので、「標準高水位差分」は「１０」とする。
【００５４】
第２差分計算部１０８は、類似仕様検索部１０３が与える類似仕様と、プラント仕様格納部１０２に格納されたすべての過去仕様との差分をそれぞれ計算する（図３におけるステップＳＴ４を参照）。ここでは、類似仕様としての図４に示された仕様３と、図４に示された仕様１、仕様２、仕様３および仕様４との差分をそれぞれ計算する。
【００５５】
図８は、上記差分計算の計算結果、すなわち、類似仕様と、すべての過去仕様との差分を計算した結果の画面表示例を示す図である。図８に示される差分１、差分２、差分３および差分４は、それぞれ、類似仕様としての図４に示された仕様３と仕様１との差分、類似仕様としての図４に示された仕様３と仕様２との差分、類似仕様としての図４に示された仕様３と仕様３との差分、および、類似仕様としての図４に示された仕様３と仕様４との差分をそれぞれ示している。なお、図８に示される類似仕様とすべての過去仕様との差分が出力される画面は、プラント図書表示部１０６に備えられるものであってもよいし、図１に示されない他の表示部に備えられる画面などであってもよい。
【００５６】
図８において、「自治体向け差分」に関しては、差分１および差分２は「あり」であり、差分３および差分４は「なし」である。また、図８において、「標準高水位差分」に関しては、差分１が３０であり、差分２が１０であり、差分３がなしであり、差分４が１０である。
【００５７】
関連度計算部１０９は、第１差分計算部１０７が与える差分と、第２差分計算部１０８が与える差分との間の関連度の強さを計算する（図３におけるステップＳＴ５を参照）。ここでは、図７に示される差分と、図８に示される差分１、差分２、差分３および差分４との間の関連度の強さをそれぞれ計算する。
【００５８】
ここで、「自治体向け差分」の関連度として、差分の有無が一致するか否かを計算し、「標準高水位差分」の関連度として、差分の有無が一致するか否かを計算すると、図９に示される結果を得る。図７に示される差分と図８に示される差分１との関連度として、関連度１を得る。また、図７に示される差分と図８に示される差分２との関連度として、関連度２を得る。また、図７に示される差分と図８に示される差分３との関連度として、関連度３を得る。また、図７に示される差分と図８に示される差分４との関連度として、関連度４を得る。なお、図９に示される「自治体向け差分」の関連度および「標準高水位差分」の関連度が出力される画面は、プラント図書表示部１０６に備えられるものであってもよいし、図１に示されない他の表示部に備えられる画面などであってもよい。
【００５９】
関連度１は、「自治体向け差分」の関連度、すなわち、「自治体向け差分」の差分の有無が不一致であり、「標準高水位差分」の関連度、すなわち、「標準高水位差分」の差分の有無が一致である。関連度２は、「自治体向け差分」の関連度が不一致であり、「標準高水位差分」の関連度が一致である。関連度３は、「自治体向け差分」の関連度が一致であり、「標準高水位差分」の関連度が不一致である。関連度４は、「自治体向け差分」の関連度が一致であり、「標準高水位差分」の関連度が一致である。
【００６０】
関連仕様抽出部１１０は、関連度計算部１０９で計算された関連度に基づいて、もっとも関連の強い差分を与える過去仕様を関連仕様としてプラント仕様格納部１０２から抽出する（図３におけるステップＳＴ６を参照）。関連の強さは、たとえば、「一致」する情報が多いほど強いものとする。ここでは、図９に示された関連度１、関連度２、関連度３および関連度４のうちから、もっとも関連の強いものとして、「自治体向け差分」の関連度および「標準高水位差分」の関連度がともに一致する関連度４を選択し、関連度４を与える過去仕様として、図４に示された仕様のうちから仕様４を抽出する。
【００６１】
関連図書抽出部１１１は、関連仕様抽出部１１０で抽出された関連仕様に対応する過去図書を、関連図書としてプラント図書格納部１０４から抽出する（図３におけるステップＳＴ８を参照）。ここでは、図４に示された仕様４に対応する、図５に示された図書４を関連図書として抽出する。
【００６２】
図書間差分抽出部１１２は、類似図書抽出部１０５が与える類似図書と、関連図書抽出部１１１が与える関連図書との差分を抽出する（図３におけるステップＳＴ９を参照）。ここでは、類似図書としての図５に示された図書３と、関連図書としての図５に示された図書４との差分を抽出する。
【００６３】
図１０は、上記差分計算の計算結果、すなわち、類似図書と、関連図書との差分を計算した結果の画面表示例を示す図である。図５に示された図書３と、図５に示された図書４との差分を抽出すると、「もし水位が９０以上なら警報作動」という部分は差分が生じておらず、図書３の「もし水位が５０以上なら排水ポンプ起動」と図書４の「もし水位が６０以上なら排水ポンプ起動」という部分に差分を生じていることが分かる。図１０においては、「差分が生じている部分」が丸印で示されている。
【００６４】
プラント図書表示部１０６は、類似図書抽出部１０５で抽出された類似図書を表示する（図３におけるステップＳＴ１０を参照）ことに加え、図書間差分抽出部１１２で示された「差分が生じている部分」を類似図書の表示の上に明示する（図３におけるステップＳＴ１１を参照）。ここでは、類似図書としての図５に示された図書３の表示の上に、図１０で示された「差分が生じている部分」（すなわち、図１０において丸印で示された部分）を明示する。
【００６５】
図１１は、上記表示の結果、すなわち、「差分が生じている部分」を類似図書の表示の上に明示した状態の画面表示例を示す図である。図書３の表示の上に示された「差分が生じている部分」が矩形で囲まれて明示されている。
【００６６】
次に、図１１に示された表示結果の妥当性について説明する。図５に示された過去図書は、次のような単純な規則で図４に示された過去仕様から導出したものである。
【００６７】
すなわち、「自治体Ａ向けの場合、もし水位が８０以上なら警報作動」、「自治体Ｂ向けの場合、もし水位が９０以上なら警報作動」および「もし水位が標準高水位以上なら排水ポンプ起動」という規則である。
【００６８】
上記の規則にしたがえば、設計対象であるプラントの仕様に対応する図書は、図１１において矩形で明示されている部分の数値「５０」を「４０」に変更したものである。したがって、本実施形態によれば、変更すべき部分が明示されるという効果が生じることが分かる。
【００６９】
実際のプラント設計は、仕様および図書ともに非常に複雑であり、上記のような規則が明らかになっていないことが多い。よって、入力仕様から類似仕様が分かっていても、類似仕様に対応する類似図書において、どの部分が変更されるべきかは明らかになっていない場合が多い。本実施形態では、過去に作成され蓄積されたプラントの仕様およびそれに対応するプラントの図書の差分に注目することで、そのような規則が明らかになっていない場合でも、類似図書中において「差分が生じている部分」を示すことで、入力仕様に対応して変更すべき箇所の明示が可能になっている。
【００７０】
なお、本実施形態は、仕様の変更が図書の変更に反映されるため、過去に同じような仕様の変更があれば、それに応じて変更された図書の部分は、今回の仕様変更においても変更の対象となる可能性が高い、という予測に基づくものである。図１に示される各機能部による作用は、そのような図書の差分を抽出するものである。
【００７１】
以上、本実施形態によれば、図４に示されるような過去仕様、および、それに対応して図５に示されるような過去図書が記憶装置に格納されている場合に、図６に示されるようなプラントの仕様を与えると、設計さらには開発の起点となる図書、および、その図書の中で図６に示される入力仕様に対応して変更すべき箇所を明示することができる。よって、プラント設計者は、当該表示を参照すれば、スムーズにプラントの設計さらには開発を進めることができる。
【００７２】
＜第２実施形態＞
以下では、上記実施形態で説明された構成と同様の構成については同じ符号を付して図示し、その詳細な説明については適宜省略する。
【００７３】
以下、本実施形態に関する設計支援装置の作用について、簡単なプラントの例を用いて説明する。
【００７４】
第１実施形態に示される場合と同様に、ここでは、外部から流入する水を貯める池と、当該池の水位を測定する測定センサーと、当該池に貯まった水を外部に放出するための排水ポンプと、警報とから構成されるプラントを例として用いる。プラントの動作としては、測定センサーが測定した池の水位があらかじめ決められた値以上となると排水ポンプが起動し、また、測定センサーが測定した池の水位が別のあらかじめ決められた値以上となると警報が発生するものとする。
【００７５】
図１２は、本実施形態に関するプラント仕様格納部１０２が格納する過去仕様に関する情報の画面表示例を示す図である。ここでは、プラントの仕様が、当該仕様がどの自治体向けであるかという情報と、標準高水位という数値の情報とから構成されているものとする。また、プラント仕様格納部１０２には、表形式で示された４つの仕様（仕様番号１、仕様番号２、仕様番号３および仕様番号４）に関する情報が格納されているものとする。なお、図１２に示される過去仕様に関する情報が出力される画面は、プラント図書表示部１０６に備えられるものであってもよいし、図１に示されない他の表示部に備えられる画面などであってもよい。
【００７６】
図１２において、どの自治体向けであるかという情報に関しては、仕様番号１および仕様番号２はＡ自治体向けであり、仕様番号３および仕様番号４はＢ自治体向けである。また、図１２において、標準高水位という数値の情報に関しては、仕様番号１は標準高水位が８０であり、仕様番号２は標準高水位が６０であり、仕様番号３は標準高水位が５０であり、仕様番号４は標準高水位が６０である。
【００７７】
図１３は、本実施形態に関するプラント図書格納部１０４が格納する過去図書の画面表示例を示す図である。ここでは、プラントの図書が、測定センサーが測定した池の水位（図書中では水位と表現）と、警報作動および排水ポンプ起動という動作との関係に関する情報から構成されているものとする。また、プラント図書格納部１０４には、表形式で示された４つの図書（図書番号１、図書番号２、図書番号３および図書番号４）が格納されているものとする。なお、図１３に示される過去図書に関する情報が出力される画面は、プラント図書表示部１０６に備えられるものであってもよいし、図１に示されない他の表示部に備えられる画面などであってもよい。
【００７８】
図１３において、池の水位と、警報作動および排水ポンプ起動という動作との関係に関する情報に関しては、図書番号１は、「警報作動水位が８０」および「排水ポンプ起動水位が８０」であり、図書番号２は、「警報作動水位が８０」および「排水ポンプ起動水位が６０」であり、図書番号３は、「警報作動水位が９０」および「排水ポンプ起動水位が５０」であり、図書番号４は、「警報作動水位が９０」および「排水ポンプ起動水位が６０」である。
【００７９】
また、図１２に示された仕様番号１、仕様番号３、仕様番号３および仕様番号４と、図１３に示された図書番号１、図書番号２、図書番号３および図書番号４の図書は、それぞれ対応づけられているものとする。すなわち、過去に、仕様番号１にしたがって図書番号１が作成され、仕様番号２にしたがって図書番号２が作成され、仕様番号３にしたがって図書番号３が作成され、仕様番号４にしたがって図書番号４が作成されたものとする。
【００８０】
図１４は、本実施形態に関するプラント仕様入力部１０１により与えられる入力仕様に関する情報の画面表示例を示す図である（図３におけるステップＳＴ１を参照）。当該入力仕様に関する情報は、図１２に示された過去仕様における場合と同様に、当該仕様がどの自治体向けであるかという情報と、標準高水位という数値の情報とから構成されているものとする。なお、図１４に示される入力仕様に関する情報が出力される画面は、プラント図書表示部１０６に備えられるものであってもよいし、図１に示されない他の表示部に備えられる画面などであってもよい。
【００８１】
図１４において、どの自治体向けであるかという情報に関しては、入力仕様はＢ自治体向けである。また、図１４において、標準高水位という数値の情報に関しては、入力仕様は標準高水位が４０である。
【００８２】
類似仕様検索部１０３は、プラント仕様格納部１０２が格納する過去仕様から、プラント仕様入力部１０１が与える入力仕様にもっとも近いものを検索する（図３におけるステップＳＴ２を参照）。ここでは、過去仕様に関する情報の、どの自治体向けであるかという情報と、標準高水位という数値情報とを用いて、図１４に示された入力仕様にもっとも近い過去仕様として、図１２に示された過去仕様のうちの仕様番号３を類似仕様として得る。
【００８３】
類似図書抽出部１０５は、類似仕様検索部１０３で得られた類似仕様に対応する仕様であるプラントの図書を、プラント図書格納部１０４が格納する過去図書から抽出する。ここでは、図１２に示された仕様番号３に対応する図書として、図１３に示された過去図書のうちの図書番号３の図書を類似図書として抽出する（図３におけるステップＳＴ７を参照）。
【００８４】
プラント図書表示部１０６は、類似図書抽出部１０５で抽出された類似図書を表示する。ここでは、類似図書として抽出された、図１３に示された図書番号３を表示する。
【００８５】
第１差分計算部１０７は、プラント仕様入力部１０１が与える入力仕様と、類似仕様検索部１０３が与える類似仕様との差分を計算する（図３におけるステップＳＴ３を参照）。ここでは、図１４に示された入力仕様と、類似仕様として図１２に示された仕様番号３との差分を計算し、図１５に示される結果を得る。なお、図１５に示される入力仕様と類似仕様との差分が出力される画面は、プラント図書表示部１０６に備えられるものであってもよいし、図１に示されない他の表示部に備えられる画面などであってもよい。具体的には、どの自治体向けであるかという情報は同一であり差がないので、「対象自治体差分」は「無（なし）」とする。また、標準高水位という数値情報は、入力仕様においては「４０」であり、図１２に示された仕様番号３においては「５０」であるので、「標準高水位差分」の「差分有無」は「有（あり）」とし、「標準高水位差分」の「差分値」は「１０」とする。
【００８６】
第２差分計算部１０８は、類似仕様検索部１０３が与える類似仕様と、プラント仕様格納部１０２に格納されたすべての過去仕様との差分をそれぞれ計算する（図３におけるステップＳＴ４を参照）。ここでは、類似仕様としての図１２に示された仕様番号３と、図１２に示された仕様番号１、仕様番号２、仕様番号３および仕様番号４との差分をそれぞれ計算する。
【００８７】
図１６は、上記差分計算の計算結果、すなわち、類似仕様と、すべての過去仕様との差分を計算した結果の画面表示例を示す図である。図１６に示される差分番号１、差分番号２、差分番号３および差分番号４は、それぞれ、類似仕様としての図１２に示された仕様番号３と仕様番号１との差分、類似仕様としての図１２に示された仕様番号３と仕様番号２との差分、類似仕様としての図１２に示された仕様番号３と仕様番号３との差分、および、類似仕様としての図１２に示された仕様番号３と仕様番号４との差分をそれぞれ示している。なお、図１６に示される類似仕様とすべての過去仕様との差分が出力される画面は、プラント図書表示部１０６に備えられるものであってもよいし、図１に示されない他の表示部に備えられる画面などであってもよい。
【００８８】
図１６において、「対象自治体差分」に関しては、差分番号１および差分番号２は「有（あり）」であり、差分番号３および差分番号４は「無（なし）」である。また、図１６において、「標準高水位差分」の「差分有無」に関しては、差分番号１、差分番号２および差分番号４は「有（あり）」であり、差分番号３は「無（なし）」である。また、図１６において、「標準高水位差分」の「差分値」に関しては、差分番号１が３０であり、差分番号２が１０であり、差分番号３が０であり、差分番号４が１０である。
【００８９】
関連度計算部１０９は、第１差分計算部１０７が与える差分と、第２差分計算部１０８が与える差分との間の関連度の強さを計算する（図３におけるステップＳＴ５を参照）。ここでは、図１５に示される差分と、図１６に示される差分番号１、差分番号２、差分番号３および差分番号４との間の関連度の強さをそれぞれ計算する。
【００９０】
ここで、「対象自治体差分」の関連度として、差分の有無が一致するか否かを計算し、「標準高水位差分」の関連度として、差分の有無が一致するか否かを計算すると、図１７に示される結果を得る。図１５に示される差分と図１６に示される差分番号１との関連度として、関連度番号１を得る。また、図１５に示される差分と図１６に示される差分番号２との関連度として、関連度番号２を得る。また、図１５に示される差分と図１６に示される差分番号３との関連度として、関連度番号３を得る。また、図１５に示される差分と図１６に示される差分番号４との関連度として、関連度番号４を得る。なお、図１７に示される「自治体向け差分」の関連度および「標準高水位差分」の関連度が出力される画面は、プラント図書表示部１０６に備えられるものであってもよいし、図１に示されない他の表示部に備えられる画面などであってもよい。
【００９１】
関連度番号１は、「対象自治体差分」の関連度、すなわち、「対象自治体差分」の差分の有無が不一致であり、「標準高水位差分」の関連度、すなわち、「標準高水位差分」の差分の有無が一致である。関連度番号２は、「対象自治体差分」の関連度が不一致であり、「標準高水位差分」の関連度が一致である。関連度番号３は、「対象自治体差分」の関連度が一致であり、「標準高水位差分」の関連度が不一致である。関連度番号４は、「対象自治体差分」の関連度が一致であり、「標準高水位差分」の関連度が一致である。
【００９２】
関連仕様抽出部１１０は、関連度計算部１０９で計算された関連度に基づいて、もっとも関連の強い差分を与える過去仕様を関連仕様としてプラント仕様格納部１０２から抽出する（図３におけるステップＳＴ６を参照）。関連の強さは、たとえば、「一致」する情報が多いほど強いものとする。ここでは、図１７に示された関連度番号１、関連度番号２、関連度番号３および関連度番号４のうちから、もっとも関連の強いものとして、「対象自治体差分」の関連度および「標準高水位差分」の関連度がともに一致する関連度番号４を選択し、関連度番号４を与える過去仕様として、図１２に示された仕様のうちから仕様番号４を抽出する。
【００９３】
関連図書抽出部１１１は、関連仕様抽出部１１０で抽出された関連仕様に対応する過去図書を、関連図書としてプラント図書格納部１０４から抽出する（図３におけるステップＳＴ８を参照）。ここでは、図１２に示された仕様番号４に対応する、図１３に示された図書番号４を関連図書として抽出する。
【００９４】
図書間差分抽出部１１２は、類似図書抽出部１０５が与える類似図書と、関連図書抽出部１１１が与える関連図書との差分を抽出する（図３におけるステップＳＴ９を参照）。ここでは、類似図書としての図１３に示された図書番号３と、関連図書としての図１３に示された図書番号４の図書との差分を抽出する。
【００９５】
図１８は、上記差分計算の計算結果、すなわち、類似図書と、関連図書との差分を計算した結果の画面表示例を示す図である。図１３に示された図書番号３と、図１３に示された図書番号４との差分を抽出すると、「警報作動水位が９０」という部分は差分が生じておらず、図書番号３の「排水ポンプ起動水位が５０」と図書番号４の「排水ポンプ起動水位が６０」という部分に差分を生じていることが分かる。図１８においては、「差分が生じている部分」が星印で示されている。
【００９６】
プラント図書表示部１０６は、類似図書抽出部１０５で抽出された類似図書を表示する（図３におけるステップＳＴ１０を参照）ことに加え、図書間差分抽出部１１２で示された「差分が生じている部分」を類似図書の表示の上に明示する（図３におけるステップＳＴ１１を参照）。ここでは、類似図書としての図１１に示された図書番号３の表示の上に、図１８で示された「差分が生じている部分」（すなわち、図１８において星印で示された部分）を明示する。
【００９７】
図１９は、上記表示の結果、すなわち、「差分が生じている部分」を類似図書の表示の上に明示した状態の画面表示例を示す図である。図書番号３の表示の上に示された「差分が生じている部分」の左側に星印が附随的に示されている。
【００９８】
図１９に示された表示結果の妥当性については、第１実施形態における場合と同様であるため、説明を省略する。
【００９９】
以上、本実施形態によれば、図１２に示されるような過去仕様、それに対応して図１３に示されるような過去図書が記憶装置に格納されている場合に、図１４に示されるようなプラントの仕様を与えると、設計さらには開発の起点となる図書、および、その図書の中で図１４に示される入力仕様に対応して変更すべき箇所を明示することができる。よって、プラント設計者は、当該表示を参照すれば、スムーズに設計さらには開発を進めることができる。
【０１００】
なお、変更すべき箇所を明示する方法としては、当該箇所を点滅させる表示方法、色を変える表示方法、フォントを変える表示方法またはアニメーションを用いる表示方法などが考えられる。
【０１０１】
＜効果＞
以下に、上記の実施形態による効果を例示する。
【０１０２】
上記の実施形態によれば、設計支援装置が、プラント仕様格納部１０２と、プラント図書格納部１０４と、類似仕様検索部１０３と、第１差分計算部１０７と、第２差分計算部１０８と、関連度計算部１０９と、関連仕様抽出部１１０と、類似図書抽出部１０５と、関連図書抽出部１１１と、図書間差分抽出部１１２と、プラント図書表示部１０６とを備える。
【０１０３】
プラント仕様格納部１０２は、設計対象の複数の過去仕様を記憶する。プラント図書格納部１０４は、各過去仕様に対応づけられる設計対象の過去図書を記憶する。
【０１０４】
類似仕様検索部１０３は、プラント仕様格納部１０２に記憶された過去仕様のうちから、設計対象の新たに入力された仕様である入力仕様と類似する仕様である類似仕様を検索する。
【０１０５】
第１差分計算部１０７は、入力仕様と類似仕様との差分を計算し、当該計算結果を第１差分として算出する。第２差分計算部１０８は、類似仕様と、プラント仕様格納部１０２に記憶された各過去仕様との差分をそれぞれ計算し、当該計算結果を第２差分としてそれぞれ算出する。
【０１０６】
関連度計算部１０９は、第１差分と第２差分との間の関連度を計算する。関連仕様抽出部１１０は、第１差分との間でもっとも関連度の高い第２差分の、対応する過去仕様を関連仕様として抽出する。
【０１０７】
類似図書抽出部１０５は、類似仕様である過去仕様に対応づけられる過去図書を、類似図書としてプラント図書格納部１０４から抽出する。関連図書抽出部１１１は、関連仕様である過去仕様に対応づけられる過去図書を、関連図書としてプラント図書格納部１０４から抽出する。
【０１０８】
図書間差分抽出部１１２は、類似図書と関連図書との差分を計算し、当該計算結果に基づいて差分箇所を抽出する。プラント図書表示部１０６は、類似図書を表示する。
【０１０９】
そして、プラント図書表示部１０６が、表示された類似図書において、さらに差分箇所を表示する。
【０１１０】
このような構成によれば、蓄積された設計対象の仕様およびそれに対応する設計対象の図書の差分を用いることで、類似図書中において、入力仕様に対応して変更すべき箇所である差分箇所を示すことができる。よって、設計対象の設計作業を適切に支援することができる。
【０１１１】
なお、これらの構成以外の構成については適宜省略することができるが、本明細書に示される少なくとも１つの他の構成を適宜追加した場合でも、上記の効果を生じさせることができる。
【０１１２】
また、上記の実施形態によれば、関連度計算部１０９が、第１差分と第２差分との間の関連度を、差分の有無が一致するか否かに基づいて計算する。
【０１１３】
このような構成によれば、入力仕様と類似仕様との間で差分がない部分に関しては同様に差分がなく、入力仕様と類似仕様との間で差分がある部分に関しては同様に差分を有する仕様を、関連度の高い仕様として抽出することができる。
【０１１４】
また、上記の実施形態によれば、プラント図書表示部１０６が、表示された類似図書において、差分箇所を囲む表示をする。
【０１１５】
このような構成によれば、類似図書において、入力仕様に対応して変更すべき箇所を適切に明示することができる。
【０１１６】
また、上記の実施形態によれば、プラント図書表示部１０６が、表示された類似図書において、差分箇所に附随する表示をする。
【０１１７】
このような構成によれば、類似図書において、入力仕様に対応して変更すべき箇所を適切に明示することができる。
【０１１８】
また、上記の実施形態によれば、設計対象の仕様および設計対象の図書のうちの少なくとも一方が、文章または表形式で表現される。
【０１１９】
このような構成によれば、文章または表形式で出力される仕様を用いて、入力仕様に対応する文章または表形式で出力される図書を設計することができる。
【０１２０】
＜変形例＞
上記実施形態では、プラントの仕様およびプラントの図書が文章または表形式で表現されている場合について説明されているが、仕様および図書の表現形式はこれらに限定されるものではない。すなわち、仕様の差分および差分の関連度が計算可能であり、さらに、図書の差分が計算可能である表現形式であれば、文章および表形式のみならず、図またはプログラムなどの他の表現形式、さらにはそれらの組み合わせで表現されるものであってもよい。また、仕様の表現形式と図書の表現形式とが同一である必要はなく、それらが関連づけられたり、仕様から図書が抽出可能な表現形式であれば、異種の表現形式であってもよい。
【０１２１】
上記実施形態では、各構成要素の寸法、形状、相対的配置関係または実施の条件などについても記載している場合があるが、これらはすべての局面において例示であって、本明細書に記載されたものに限られることはない。よって、例示されていない無数の変形例が、本技術の範囲内において想定される。たとえば、少なくとも１つの構成要素を変形する場合、追加する場合または省略する場合、さらには、少なくとも１つの実施形態における少なくとも１つの構成要素を抽出し、他の実施形態の構成要素と組み合わせる場合が含まれる。
【０１２２】
また、矛盾が生じない限り、上記実施形態において「１つ」備えられるものとして記載された構成要素は、「１つ以上」備えられていてもよい。さらに、各構成要素は概念的な単位であって、１つの構成要素が複数の構造物から成る場合および１つの構成要素がある構造物の一部に対応する場合、さらには、複数の構成要素が１つの構造物に備えられる場合を含む。また、各構成要素には、同一の機能を発揮する限り、他の構造または形状を有する構造物が含まれる。
【０１２３】
また、本明細書における説明は、本技術のすべての目的のために参照され、いずれも、従来技術であると認めるものではない。
【０１２４】
上記実施形態で記載された各構成要素による作用は、少なくとも１つの、処理回路または電気回路において実施することができる。すなわち、複数の処理回路または電気回路が互いに連携することによって、当該作用が実施される場合も想定される。処理回路および電気回路には、プログラムされた演算処理装置を含み、その場合、処理回路または電気回路があらかじめ設定されたプログラムにしたがって動作することによって、上記実施形態で記載された各構成要素による作用が実現される。また、各構成要素による作用を実現するプログラムは、たとえば、ハードディスク（Ｈａｒｄ  ｄｉｓｋ  ｄｒｉｖｅ、すなわちＨＤＤ）、ランダムアクセスメモリー（ｒａｎｄｏｍ  ａｃｃｅｓｓ  ｍｅｍｏｒｙ、すなわちＲＡＭ）およびリードオンリーメモリー（ｒｅａｄ  ｏｎｌｙ  ｍｅｍｏｒｙ、すなわちＲＯＭ）などを含むメモリー（記憶媒体）などによって構成される記憶装置に記憶される。また、処理回路には、集積回路（ａｐｐｌｉｃａｔｉｏｎ  ｓｐｅｃｉｆｉｃ  ｉｎｔｅｇｒａｔｅｄ  ｃｉｒｃｕｉｔ、すなわちＡＳＩＣ）または上記実施形態で記載された作用を実現するように変更された従来の回路要素などを含む。また、処理回路および電気回路には、ハードウェアの回路を含み、その場合、処理回路または電気回路において信号が処理されることにより、上記実施形態で記載された各構成要素による作用が実現される。
【０１２５】
また、上記実施形態で記載された各構成要素は、ソフトウェアとしても、それと対応するハードウェアとしても想定され、その双方の概念において、各構成要素は「部」または「処理回路」などと称される。
【０１２６】
本技術は、各構成要素が複数の装置に分散して備えられる場合（すなわち、システムのような態様）であってもよい。たとえば、プラント仕様格納部１０２と、プラント図書格納部１０４とは、図１においては設計支援装置内に搭載されるものとして示されているが、プラント仕様格納部１０２およびプラント図書格納部１０４の少なくとも１つが、外部の機能部であってもよい。その場合、設計支援装置内の他の機能部と互いに作用しあうことによって、全体として設計支援装置の機能を果たすものとする。
【符号の説明】
【０１２７】
１  パーソナルコンピュータ、２  中央演算処理装置、３  記憶装置、４  入力装置、５  出力装置、１０１  プラント仕様入力部、１０２  プラント仕様格納部、１０３  類似仕様検索部、１０４  プラント図書格納部、１０５  類似図書抽出部、１０６  プラント図書表示部、１０７  第１差分計算部、１０８  第２差分計算部、１０９  関連度計算部、１１０  関連仕様抽出部、１１１  関連図書抽出部、１１２  図書間差分抽出部。
【図１】
2016132774.tif 000003
【図２】
2016132774.tif 000004
【図３】
2016132774.tif 000005
【図４】
2016132774.tif 000006
【図５】
2016132774.tif 000007
【図６】
2016132774.tif 000008
【図７】
2016132774.tif 000009
【図８】
2016132774.tif 000010
【図９】
2016132774.tif 000011
【図１０】
2016132774.tif 000012
【図１１】
2016132774.tif 000013
【図１２】
2016132774.tif 000014
【図１３】
2016132774.tif 000015
【図１４】
2016132774.tif 000016
【図１５】
2016132774.tif 000017
【図１６】
2016132774.tif 000018
【図１７】
2016132774.tif 000019
【図１８】
2016132774.tif 000020
【図１９】
2016132774.tif 000021
【国際調査報告】
2016132774.tif 000022
2016132774.tif 000023